(57)【要約】【課題】外部から密閉室内への水分の浸入を防止し、光学素子への結露発生や、汚れの付着を防止できるプロジェクタ装置を提供すること。【解決手段】光源１２と、光源１２から出射された光を映像情報に応じて変調する光変調部１４と、光変調部１４を冷却する冷却装置１６と、光源１２、光変調部１４及び冷却装置１６を収容する筺体１１とを備え、筺体１１内に区画され、少なくとも光変調部１４を収容する密閉室１８を有するプロジェクタ装置１０において、密閉室１８の低圧部に接続され、密閉室１８の外側の空気を乾燥する乾燥器５０を備える。【選択図】図１
2011075797.tif 000002
【特許請求の範囲】
【請求項１】
光源と、前記光源から出射された光を映像情報に応じて変調する光学素子と、前記光学素子を冷却する冷却手段と、前記光源、前記光学素子及び前記冷却手段を収容する筺体とを備え、前記筺体内に区画され、少なくとも前記光学素子を収容する密閉空間を有するプロジェクタ装置において、
前記密閉空間の低圧部に接続され、前記密閉空間の外側の空気を乾燥する乾燥手段を備えることを特徴とするプロジェクタ装置。
【請求項２】
前記密閉空間内に空気を循環する送風機を備え、この送風機の空気吸込側に前記乾燥手段により乾燥された空気を供給することを特徴とする請求項１に記載のプロジェクタ装置。
【請求項３】
前記乾燥手段により乾燥された空気を、前記送風機の空気吸込側に圧送するエアーポンプを備えることを特徴とする請求項２に記載のプロジェクタ装置。
【請求項４】
前記冷却手段で冷却された冷気を、前記送風機を介して前記光学素子に供給するダクトを備え、このダクトは、前記送風機の空気吸込側に、他の部分よりも縮径した縮径部を備え、この縮径部内に前記乾燥手段から延びる空気供給管の先端部を設けたことを特徴とする請求項２に記載のプロジェクタ装置。
【請求項５】
前記乾燥手段は、前記密閉空間の内側に加熱面が配置され、前記密閉空間の外側に冷却面が配置されるペルティエ素子と、このペルティエ素子の冷却面に対向して配置され、当該ペルティエ素子と協働して、前記送風機の空気吸込側に乾燥した空気を導く風路の一部を形成する風路形成体とを備えることを特徴とする請求項２乃至４のいずれかに記載のプロジェクタ装置。
【発明の詳細な説明】
【技術分野】
【０００１】
本発明は、光源からの出射光を光学素子にて変調し、変調後の投写光像を投射レンズにてスクリーンに投射するプロジェクタ装置に関する。
【背景技術】
【０００２】
従来、筺体に光源と、この光源からの出射光を映像情報に応じて変調する光学素子と、変調された投写光像をスクリーンに投写するための投写レンズとを備え、前記光学素子を前記筺体内に区画された密閉空間に収容するとともに、この密閉空間に当該密閉空間内の空気を冷却する冷却器を設け、この冷却された空気を前記密閉空間内に循環させて前記光学素子を冷却するプロジェクタ装置が知られている（例えば、特許文献１参照）。この種のプロジェクタ装置では、密閉空間の外部に配置される冷却装置と冷却器とが冷凍サイクルを構成し、この冷却器で熱交換された空気を光学素子に供給して冷却するため、外気温度に影響されることなく光学素子を冷却することができる。
【先行技術文献】
【特許文献】
【０００３】
【特許文献１】特開２００８−１１２０９４号公報
【発明の概要】
【発明が解決しようとする課題】
【０００４】
ところで、上記した構成では、プロジェクタ装置の運転時に密閉空間内が冷却され、停止時には密閉空間内は常温に戻ることを繰り返すため、密閉空間内では、温度変化に伴う圧力変化が生じる。さらに、密閉空間内を冷却中には、この空気が密閉空間内を循環するため、密閉空間内において圧力差が生じることになる。このため、密閉空間のシール性を高めたとしても、温度変化に伴う圧力変化や密閉空間内外の圧力差に基づいて、外気が密閉空間内に侵入することがある。
この場合、外気に含まれた水分が密閉空間内で冷却されることにより、密閉空間内で結露が生じ、光学素子に汚れが付着するといった問題が想定される。
本発明は、上述した事情に鑑みてなされたものであり、外部から密閉空間内への水分の浸入を防止し、密閉空間内での結露発生や、結露による光学素子への汚れの付着を防止できるプロジェクタ装置を提供することを目的とする。
【課題を解決するための手段】
【０００５】
上記目的を達成するために、本発明は、光源と、前記光源から出射された光を映像情報に応じて変調する光学素子と、前記光学素子を冷却する冷却手段と、前記光源、前記光学素子及び前記冷却手段を収容する筺体とを備え、前記筺体内に区画され、少なくとも前記光学素子を収容する密閉空間を有するプロジェクタ装置において、前記密閉空間の低圧部に接続され、前記密閉空間の外側の空気を乾燥する乾燥手段を備えることを特徴とする。
【０００６】
この構成において、前記密閉空間内に空気を循環する送風機を備え、この送風機の空気吸込側に前記乾燥手段により乾燥された空気を供給する構成としても良い。また、前記乾燥手段により乾燥された空気を、前記送風機の空気吸込側に圧送するエアーポンプを備える構成としても良い。
【０００７】
また、前記冷却手段で冷却された冷気を、前記送風機を介して前記光学素子に供給するダクトを備え、このダクトは、前記送風機の空気吸込側に、他の部分よりも縮径した縮径部を備え、この縮径部内に前記乾燥手段から延びる空気供給管の先端部を設けた構成としても良い。また、前記乾燥手段は、前記密閉空間の内側に加熱面が配置され、前記密閉空間の外側に冷却面が配置されるペルティエ素子と、このペルティエ素子の冷却面に対向して配置され、当該ペルティエ素子と協働して、前記送風機の空気吸込側に乾燥した空気を導く風路の一部を形成する風路形成体とを備える構成としても良い。
【発明の効果】
【０００８】
本発明によれば、密閉空間の外側の空気を乾燥する乾燥手段を備え、この乾燥空気を密閉空間の低圧部分に供給するため、当該密閉空間内に水分を含んだ外気の侵入を抑制することができ、光学素子への汚れの付着を防止することができるという効果を奏する。
【図面の簡単な説明】
【０００９】
【図１】本実施形態にかかるプロジェクタ装置の概略構成図である。
【図２】プロジェクタ装置の内部構成を示す斜視図である。
【図３】密閉室内の空気の流れと圧力の変動の状態を説明する図である。
【図４】密閉室内に乾燥空気を供給する形態を示す模式図である。
【図５】プロジェクタ装置のランプ、冷却装置、送風機、空気供給弁及び加熱ヒーターの動作を示すタイムチャートである。
【図６】密閉室内に乾燥空気を供給する別の形態を示す模式図である。
【図７】密閉室内に乾燥空気を供給する別の形態を示す模式図である。
【図８】密閉室内に乾燥空気を供給する別の形態を示す模式図である。
【発明を実施するための形態】
【００１０】
以下、図面を参照して本発明の一実施の形態について説明する。
図１は、本実施形態にかかるプロジェクタ装置の概略構成図であり、図２は、プロジェクタ装置の内部構成を示す斜視図である。この図２では、プロジェクタ装置の光学系を構成する部材を省略している。
プロジェクタ装置１０は、図１に示すように、筺体１１内に光源１２と、色分離光学系１３と、光変調部（光学素子）１４と、投写レンズ１５と、光変調部１４の冷却装置（冷却手段）１６とを設けて成る液晶プロジェクタである。筺体１１は、放熱性に優れた素材（例えば、マグネシウム）を用いて構成された扁平な箱状体であり、この筺体１１の一側面には、筺体１１内に外気を供給する吸気口１１Ａが形成され、他側面には、筺体１１の外部に内気を排出する排気ファン１７を有する排気口１１Ｂが形成されている。
【００１１】
また、筺体１１内には、密閉空間として区画された密閉室１８が設けられ、この密閉室１８内に色分離光学系１３、光変調部１４及び冷却装置１６の後述する吸熱器３８等が収容されている。ここで、密閉空間とは、空間内の温度変化等に伴って当該空間内外でわずかに空気の移動（いわゆる呼吸現象）が生じるものをいう。この密閉室１８は、断熱性の高い板材（例えば、硬質塩化ビニル、シリコン樹脂、フッ素樹脂、フェノール樹脂、ポリカーボネイト樹脂、ポリスチレン樹脂等の熱伝導率が０．１Ｗ／（ｍ・Ｋ）乃至０．３Ｗ／（ｍ・Ｋ）程度のゴム・プラスチック系材料））で形成された扁平な箱状体であり、光源１２に対向する一側面には、光源１２からの出射光を色分離光学系１３に導く光透過窓１８Ａが形成され、投写レンズ１５に対向する他側面には、光変調部１４で変調された投写光像を投写レンズ１５に導く光透過窓１８Ｂが形成されている。なお、密閉室１８は、図示は省略するが、断熱性を高めるために箱状体の外表面または内表面に、断熱性の高い部材（例えば、グラスウール、硬質ウレタンフォーム、独立気泡エストラマー等の）熱伝導率が０．１Ｗ／（ｍ・Ｋ）以下の材料）で覆われている場合もある。
【００１２】
光源１２は、超高圧水銀ランプなどのランプ２０と、ランプ２０から発散される光（発散光）を前方に出射するためのミラー２１とを備える。本実施形態では、光源１２は、複数（４つ）のランプ２０・・と４つのミラー２１・・とから構成され、筺体１１内に設けられたランプボックス２２内に収容されている。
色分離光学系１３は、光源１２からの光束を各色Ｒ、Ｇ、Ｂの色光に分離するものであり、この光束を各色に分離するための第１、第２のダイクロイックミラー２４Ａ、２４Ｂや、分離された各色光束を光変調部１４に導くための反射用ミラー２５Ａ〜２５Ｃ、図示しないリレーレンズ等を備えて構成されている。
【００１３】
光源１２の照射光は、ミラー２１によって前方へ出射され、密閉室１８の光透過窓１８Ａを介して、第１のダイクロイックミラー２４Ａに導かれる。この第１のダイクロイックミラー２４Ａは、赤色波長帯域の光を透過し、シアン（緑＋青）の波長帯域の光を反射する。第１のダイクロイックミラー２４Ａを透過した赤色波長帯域の光は、反射用ミラー２５Ａにて反射されて光路を変更され、光変調部１４の赤色光用の透過型表示デバイスとしての液晶パネル（ＬＣＤパネル）２７（後述する）に導かれ、この液晶パネル２７を通過することによって光変調される。
また、第１のダイクロイックミラー２４Ａにて反射したシアンの波長帯域の光は、第２のダイクロイックミラー２４Ｂに導かれる。第２のダイクロイックミラー２４Ｂは、青色波長帯域の光を透過し、緑色波長帯域の光を反射する。第２のダイクロイックミラー２４Ｂにて反射した緑色波長帯域の光は、光変調部１４の緑色光用の透過型表示デバイスとしての液晶パネル２８（後述する）に導かれ、この液晶パネル２８を通過することによって光変調される。
また、第２のダイクロイックミラー２４Ｂを透過した青色波長帯域の光は、全反射用ミラー２５Ｂ、２５Ｃを経て、光変調部１４の青色光用の透過型表示デバイスとしての液晶パネル２９（後述する）に導かれ、この液晶パネル２９を通過することによって光変調される。
【００１４】
光変調部１４は、各色Ｒ、Ｇ、Ｂに対応する上記した３枚の液晶パネル２７、２８、２９と、各液晶パネル２７、２８、２９の入射側に間隔を存して設けられた偏光板３０Ａと、各液晶パネル２７、２８、２９の出射側に間隔を存して設けられた偏光板３０Ｂ等とを備えて構成されている。液晶パネル２７、２８、２９は、色分離光学系１３により分離されて当該各液晶パネル２７、２８、２９に導かれた光を映像情報に応じて変調するものである。
また、各液晶パネル２７、２８、２９及び偏光板３０Ｂの内側には、各色の光を合成して投写光像を形成するプリズム３１が配置されている。このプリズム３１は、色分離光学系１３であり、Ｘ状の誘電体多層膜から成る反射面を備え、当該反射面を介して、各液晶パネル２７、２８、２９からの光が単一の光束とされる。
投写レンズ１５は、プリズム３１からの投写光像をスクリーン（不図示）に拡大投写するものであり、筺体１１の壁面に形成された孔内に着脱可能に配設されている。また、図１において、符号３２は、光源１２からの出射光が各液晶パネル２７、２８、２９及び偏光板３０Ａ、３０Ｂに導かれる光束（光路）である。
以上の構成でプロジェクタ装置１０の光学系の動作を説明すると、光源１２からの出射光は、色分離光学系１３において各色Ｒ、Ｇ、Ｂの各光に分離されて、それぞれ対応するライトバルブとして機能する液晶パネル２７、２８、２９に入射側の偏光板３０Ａを介して導かれる。液晶パネル２７、２８、２９に導かれた各光束はそこで映像情報に応じて変調され、出射側の偏光板３０Ｂを経てプリズム３１で単一の光束の投写映像とされた後、投写レンズ１５によりスクリーンに拡大投写される。
【００１５】
次に、冷却装置１６について説明する。
冷却装置１６は、光変調部１４の液晶パネル２７、２８、２９及び偏光板３０Ａ、３０Ｂやプリズム３１を冷却するためのものであり、図１に示すように、圧縮機３５、放熱器３６、膨張弁３７及び吸熱器３８を備え、これらを配管接続して冷媒回路が構成されている。すなわち、圧縮機３５の冷媒吐出管３９は放熱器３６の入口に接続され、この放熱器３６の出口には冷媒配管４０の一端が接続され、この冷媒配管４０の他端は、電磁開閉弁４１及び膨張弁３７を介して、吸熱器３８の入口に接続され、この吸熱器３８の出口には、電磁開閉弁４２を介して、圧縮機３５の冷媒吸込管４３が接続されて環状の冷媒回路が構成されている。放熱器３６は、空冷式の熱交換器であり、この放熱器３６の近傍（側方）には送風手段としての送風ファン４４が設置されている。なお、本実施形態では冷媒を減圧する装置として膨張弁３７を用いるものとしたが、減圧装置は当該膨張弁３７に限定されるものでなく、冷媒を所定の圧力に減圧することができるものであれば、どのようなものであっても良く、例えば、キャピラリチューブを用いるものとしても構わない。
【００１６】
本構成では、冷却装置１６の圧縮機３５、放熱器３６及び膨張弁３７は、密閉室１８の外側に配置され、吸熱器３８は密閉室１８内に配置される。このため、密閉室１８の側壁には、冷媒配管４０及び冷媒吸込管４３が貫通して配置される。
冷却装置１６の圧縮機３５、放熱器３６及び膨張弁３７は、筺体１１の吸気口１１Ａに近接して配置され、この冷却装置１６と排気口１１Ｂとの間に光源１２が配置されている。このため、筺体１１内には、密閉室１８と筺体１１の側壁との間に、吸気口１１Ａと排気口１１Ｂとを連通する送風経路が形成され、吸気口１１Ａから筺体１１内に供給された空気は、冷却装置１６の圧縮機３５及び放熱器３６を冷却した後に、光源１２のランプ２０を冷却し、排気口１１Ｂから排出される。光源１２のランプ２０は、上記圧縮機３５及び放熱器３６に比べて極めて高温となるため、当該圧縮機３５及び放熱器３６を冷却した後であっても、光源１２のランプ２０を十分に冷却することができる。
【００１７】
密閉室１８内には、図２に示すように、光変調部１４の液晶パネル２７、２８、２９及び偏光板３０Ａ、３０Ｂに対して、吸熱器３８にて冷却された冷却風を供給するダクト４５が配置されている。このダクト４５は、密閉室１８の下部に水平に延在し、当該ダクト４５の一端は、各液晶パネル２７、２８、２９に合わせて３系統に分岐し、当該液晶パネル２７、２８、２９の下方位置に上向きの吹出開口４５Ａが形成されている。また、ダクト４５の他端には、送風機４６が収容され、この送風機４６の上部には、密閉室１８内を上方に延びる吸込ダクト４７が接続されている。この吸込ダクト４７の吸込開口４７Ａは、大きく拡径して形成され、この吸込開口４７Ａに吸熱器３８が配置されている。なお、図２において、符号４８は、プロジェクタ装置１０の各部の動作を制御する制御板が収容された電装箱である。
【００１８】
送風機４６が運転されると、密閉室１８内の空気は、吸込開口４７Ａを通じて、吸込ダクト４７に吸い込まれる。この際に、吸い込まれた空気は、吸熱器３８を通過することにより、この吸熱器３８を流れる冷媒に熱を奪われて冷却される。そして、この冷却された空気は、ダクト４５を流れ、このダクト４５の吹出開口４５Ａを通じて、各液晶パネル２７、２８、２９及び偏光板３０Ａ、３０Ｂに供給される。これにより、液晶パネル２７、２８、２９及び偏光板３０Ａ、３０Ｂは、供給された空気に熱を放出することにより冷却され、密閉室１８内に吹き出される。この吹き出された空気は、再び吸込開口４７Ａを通じて吸込ダクト４７に吸い込まれ、密閉室１８内を循環する。これにより、密閉室１８内を均一な温度に維持することができるため、外気温度に影響されること無く液晶パネル２７、２８、２９及び偏光板３０Ａ、３０Ｂ等を冷却することが可能となり、これら液晶パネル２７、２８、２９及び偏光板３０Ａ、３０Ｂ等の密閉室１８内に設けられた各機器を常に最適な一定温度に維持することができる。
【００１９】
ところで、上記した構成では、冷却装置１６の運転時に密閉室１８内が冷却され、停止時には密閉室１８内は常温に戻ることを繰り返すため、密閉室１８内には、温度変化に伴う圧力変化が生じる。さらに、密閉室１８内を冷却中には、この空気が密閉室１８内を循環することにより、図３に示すように、例えば送風機４６の前後で密閉室１８内に圧力差が生じるため、局所的に密閉室１８内に大気圧よりも低い低圧部が生じる場合がある。このため、密閉室１８のシール性を十分に高めたとしても、温度変化に伴う圧力変化や密閉室１８内外の圧力差に基づいて、外気が密閉室１８内に侵入することがある。この場合、外気が含んだ水分が密閉室１８内で冷却されるため、光変調部１４や吸熱器３８で結露が生じ、この光変調部１４にカビ等の汚れが付着するといった問題が想定される。
【００２０】
本構成では、図１に示すように、プロジェクタ装置１０は、密閉室１８の外側空間の空気中に含む水分を除去する乾燥器５０を備える。この乾燥器５０は、図４に示すように、内部に乾燥剤５０Ａを備え、この乾燥器５０には、空気供給弁５１が設けられた空気供給管５２の一端が接続されている。この空気供給管５２の他端は、密閉室１８の低圧部分、具体的には、吸込ダクト４７の送風機４６の空気吸込側空間Ａに連通する部位に接続されている。
この構成によれば、送風機４６が運転されることにより、この送風機４６の空気吸込側空間Ａの圧力が大気圧以下まで低下した場合には、乾燥器５０の乾燥剤５０Ａで除湿された空気が空気供給管５２を通じて、密閉室１８内に供給されるため、外部から密閉室１８内への水分の浸入を防止することができ、光変調部１４の各液晶パネル２７、２８、２９、偏光板３０Ａ、３０Ｂやプリズム３１、吸熱器３８で結露が発生することを防止できるとともに、これら各液晶パネル２７、２８、２９、偏光板３０Ａ、３０Ｂ及びプリズム３１等にカビ等の汚れが付着することを防止できる。
【００２１】
また、乾燥器５０は、この乾燥器５０の空気入口５０Ｂ側に空気中の塵挨を補足するフィルタ部材５３を備える。これにより、外気はフィルタ部材５３を通じて密閉室１８内に供給されるため、この密閉室１８内に塵挨が侵入することが防止される。
また、乾燥器５０は、水分を吸着して乾燥機能の低下した乾燥剤５０Ａを加熱して当該乾燥機能を再生するための加熱ヒーター５４が設けられている。この加熱ヒーター５４は、図５に示すように、プロジェクタ装置１０の積算運転時間が所定時間ｔ経過するごとに通電され、乾燥剤５０Ａを加熱する。ここで、空気供給弁５１は、乾燥器５０にて乾燥された空気が吸込ダクト４７内へ供給されることを許容するものであり、通常は、プロジェクタ装置１０が運転中（具体的には、ランプ２０、冷却装置１６及び送風機４６が運転中）に開放され、プロジェクタ装置１０が停止した場合に閉鎖される。一方、上記した加熱ヒーター５４が通電されている場合には、空気供給弁５１は、これに合わせて閉鎖される。これにより、加熱ヒーター５４の加熱によって蒸発した水分が密閉室１８内に浸入することが防止され、この水分は乾燥器５０の空気入口５０Ｂを通じて排出される。
このように、本実施形態では、乾燥器５０は、乾燥剤５０Ａを加熱して再生させる加熱ヒーター５４を設けているため、乾燥剤５０Ａの交換頻度を減少させることができ、メンテナンス作業の軽減化を図ることができる。
【００２２】
以上、本実施形態によれば、吸熱器３８と熱交換した冷気を光変調部１４に供給するダクト４５を備え、このダクト４５内に送風機４６を設け、この送風機４６の空気吸込側に接続された吸込ダクト４７に乾燥器５０から延びる空気供給管５２を接続したため、乾燥器５０で乾燥された空気を密閉室１８内で圧力低下の生じやすい個所にピンポイントで供給することができ、密閉室１８内への外気の浸入を効果的に防止することができる。
【００２３】
次に、別の実施形態について説明する。
図６は、密閉室１８内に乾燥空気を供給する別の形態を示す模式図である。
この別の実施形態では、図６に示すように、乾燥器５０と空気供給弁５１との間の空気供給管５２に空気を圧送するためのエアーポンプ５５が設けられている点で構成を異にしており、他の構成は上記した実施形態と同一であるため、同一の符号を付して説明を省略する。
この別の実施形態では、空気供給管５２にエアーポンプ５５を備えるため、吸込ダクト４７における送風機４６の空気吸込側の圧力が大気圧以下に低下しなくても、エアーポンプ５５により強制的に乾燥空気を密閉室１８内に供給できるため、水分を含んだ外気が密閉室１８内に浸入することを確実に防止することができる。
また、エアーポンプ５５で乾燥空気を供給することにより、この密閉室１８内を陽圧に保持することができるため、例えば、密閉室１８を構成する板材の合わせ面等から外気が浸入することを確実に防止できる。
この別の実施形態では、密閉室１８には、空気排気弁５６を備えた空気排気管５７を設けることが望ましい。この構成によれば、エアーポンプ５５を運転する際に、空気排気弁５６を開放することにより、密閉室１８内の空気を短時間で入れ替えることができるため、密閉室１８に乾燥した空気を簡単に充填することができる。
【００２４】
図７は、密閉室１８内に乾燥空気を供給する別の形態を示す模式図である。
この別の実施形態では、図７に示すように、吸込ダクト４７は、送風機４６の空気吸込側に、他の部分よりも縮径した縮径部４７Ｂが形成されており、空気供給管５２の一端（先端部）５２Ａは、この縮径部４７Ｂ内で通風方向に向けて配置されている。他の構成は、上記した実施形態と同一であるため、同一の符号を付して説明を省略する。
この構成では、縮径部４７Ｂを通過する空気の流速が上昇することにより、密閉室１８の外側の外気は、いわゆるエゼクタ効果によって、空気供給管５２を通じて吸込ダクト４７内に吸い込まれる。このため、吸込ダクト４７における送風機４６の空気吸込側の圧力が大気圧以下に低下しなくても、エゼクタ効果によって効率良く乾燥空気を密閉室１８内に供給できるため、水分を含んだ外気が密閉室１８内に浸入することを防止することができる。
【００２５】
図８は、密閉室１８内に乾燥空気を供給する別の形態を示す模式図である。
上記した実施形態では、乾燥手段として乾燥器５０を備える構成としていたが、この乾燥器５０の代わりにペルティエ素子６１を用いた除湿器６０が設けられている。この除湿器６０は、密閉室１８の一側面に配置されるペルティエ素子６１と、このペルティエ素子６１の外側に配置されて、当該ペルティエ素子６１と協働して風路の一部を形成する風路形成体６２とを備える。ペルティエ素子６１は、２種類の金属の接合部に電流を流すことにより、片方の金属からもう片方へ熱が移動するというペルティエ効果を利用した板状の半導体素子であり、この構成では、ペルティエ素子６１の冷却面６１Ａが風路形成体６２と対向して配置され、加熱面６１Ｂが密閉室１８内に露出するように配置されている。また、風路形成体６２の一端には空気吸込口６２Ａが形成され、他端には上記した空気供給管５２が接続されている。他の構成は、上記した実施形態と同一であるため、同一の符号を付して説明を省略する。
【００２６】
この構成によれば、送風機４６の運転により、この送風機４６の空気吸込側空間Ａの圧力が大気圧以下まで低下した場合には、外気が空気吸込口６２Ａから吸い込まれ、ペルティエ素子６１の冷却面６１Ａと接触して冷却される。この場合、外気はペルティエ素子６１の冷却面６１Ａで冷却されることにより、この冷却面上で水分が結露するため、相対的に外気に含まれる水分が減少して除湿される。この除湿された空気は空気供給管５２を通じて、密閉室１８内に供給されるため、外部から密閉室１８内への水分の浸入を防止することができ、光変調部１４の各液晶パネル２７、２８、２９、偏光板３０Ａ、３０Ｂやプリズム３１、吸熱器３８に結露が発生することを防止できるとともに、これら各液晶パネル２７、２８、２９、偏光板３０Ａ、３０Ｂ及びプリズム３１にカビ等の汚れが付着することを防止できる。
また、ペルティエ素子６１の加熱面６１Ｂは、冷却された密閉室１８内に露出しているため、この加熱面６１Ｂと冷気との熱交換が効率良く行われ、結果として、冷却面６１Ａと外気との熱交換を効率良く行うことができる。
【００２７】
以上、本発明の一実施の形体について説明したが、これに限るものではない。例えば、上記した実施形態では、乾燥器５０は乾燥剤を再生するための加熱ヒーター５４を備える構成としているが、乾燥剤を定期的に交換できる環境であれば、加熱ヒーターを設けなくても良い。
また、空気供給弁５１と吸込ダクト４７との間に、乾燥剤を有する補助乾燥器を設けても良い。この構成によれば、空気供給弁５１が閉鎖された場合、すなわち、プロジェクタ装置１０の運転停止中であっても、密閉室１８内と補助乾燥器とが連通するため、常時、密閉室１８内の乾燥（除湿）を行うことができる。
また、上記した実施形態では、吸込ダクト４７の吸込開口４７Ａから通風方向に向かって、吸熱器３８と送風機４６とを順次配置し、この送風機４６の空気吸込側、すなわち、当該送風機４６と吸熱器３８との間に空気供給管５２を接続しているが、送風機４６の空気吸込側であれば、吸込開口４７Ａから通風方向に向かって、送風機４６と吸熱器３８とを順次配列し、吸込開口４７Ａ近傍に空気供給管５２を接続しても良い。
また、上記した実施形態では、密閉室１８内の低圧部分として、吸込ダクト４７における送風機４６の空気吸込側に乾燥空気を供給する構成としたが、これに限るものでなく、密閉室１８の低圧部分であれば、適宜その個所に乾燥空気を供給しても良いことは勿論である。
【符号の説明】
【００２８】
１０  プロジェクタ装置
１１  筺体
１１Ａ  吸気口
１１Ｂ  排気口
１２  光源
１３  色分離光学系
１４  光変調部（光学素子）
１５  投写レンズ
１６  冷却装置（冷却手段）
１８  密閉室（密閉空間）
２０  ランプ
２７〜２９  液晶パネル
３０Ａ、３０Ｂ  偏光板
３１  プリズム
３５  圧縮機
３６  放熱器
３７  膨張弁
３８  吸熱器
４５  ダクト
４５Ａ  吹出開口
４６  送風機
４７  吸込ダクト
４７Ａ  吸込開口
４７Ｂ  縮径部
５０  乾燥器（乾燥手段）
５０Ａ  乾燥剤
５２  空気供給管
５４  加熱ヒーター（ヒーター）
５５  エアーポンプ
６０  除湿器（乾燥手段）
【図１】
2011075797.tif 000003
【図２】
2011075797.tif 000004
【図３】
2011075797.tif 000005
【図４】
2011075797.tif 000006
【図５】
2011075797.tif 000007
【図６】
2011075797.tif 000008
【図７】
2011075797.tif 000009
【図８】
2011075797.tif 000010